(57)【要約】【課題】設置場所を選ばず、かつディスプレイの取付角度も微調整が可能なディスプレイ支持装置を提供する。【解決手段】台座５に昇降機構６を載置し、該昇降機構６によりフレーム４を昇降可能に動作させるとともに、回転機構３によってディスプレイ固定部２に固定されたディスプレイ１を縦置き又は横置きに調整可能とするディスプレイ支持装置Ａを実現した。これによってディスプレイ１の設置場所が制限されず、さらにはディスプレイ１の取付角度の微調整が可能となり、多岐に渡る情報を適切に見やすく伝達することができる。【選択図】図１
2011017738.tif 000002
【特許請求の範囲】
【請求項１】
長方形型のディスプレイを回転可能に支持するディスプレイ支持装置であって、
前記ディスプレイを固定するディスプレイ固定部と、
前記ディスプレイ固定部を支持するフレームと、
前記フレームを昇降させる昇降機構と、
前記ディスプレイ固定部と回転軸を介して接続され、当該ディスプレイ固定部を前記回転軸を中心に回転させる回転機構と、を具備し、
前記回転機構により前記ディスプレイ固定部が回転することを特徴とするディスプレイ支持装置。
【請求項２】
前記回転機構は、
前記回転軸に固定されるハンドルと、
前記ハンドルに接続されるリンクと、
前記リンクに接続されるナットと、
前記ナットがはめ込まれるスクリューネジと、
前記スクリューネジと接続され、当該スクリューネジを回転させるための動力を付与するモータと、を有し、
前記ナットは前記スクリューネジの回転により昇降し、
当該ナットの昇降動作に伴って前記ハンドルは前記リンクを介して回転し、
前記ハンドルの回転動作により前記ディスプレイ固定部が回転することを特徴とする、請求項１に記載のディスプレイ支持装置。
【請求項３】
前記回転機構がギアモータであることを特徴とする請求項１に記載のディスプレイ支持装置。
【請求項４】
前記昇降機構と前記回転機構とを制御する制御部をさらに有し、前記制御部が、前記ディスプレイ固定部の回転に連動して前記フレームを昇降させることを特徴とする請求項１〜３のいずれかに記載のディスプレイ支持装置。
【発明の詳細な説明】
【技術分野】
【０００１】
本発明は、会議や広告表示、あるいはコンサートや野外舞台などに用いられるディスプレイ（「モニタ」という場合がある）を支持するディスプレイ支持装置に関する。
【背景技術】
【０００２】
従来より広告宣伝など商業目的としてディスプレイを用いた公衆への情報提示が行われている。情報提示に用いられるディスプレイは近年において薄型・大画面化が促進され、大画面のプラズマディスプレイパネル（以下、「ＰＤＰ」とも称す）や液晶ディスプレイ（「ＬＣＤ」とも称す）などが活用されている。
大画面のＰＤＰやＬＣＤを用いることでより多くの情報を提示できるものの、公衆へ提示される情報もその内容が多岐に渡ってきており、情報の伝え易さや見易さの観点からは画一的なディスプレイの配置では不充分となってきている。
【０００３】
この問題に対処するため、長方形のディスプレイを通常の横長に設置する横置きと、縦長に設置する縦置きと回転切換えして使用できるディスプレイ支持装置の開発がなされ、例えば以下のような技術が開示されている。
【０００４】
特許文献１には、ディスプレイを横置き又は縦置きに回転して表示する場合における回転機構が開示されている。より具体的には、リング状をなし、同リング状の外周側に半円弧状の凹状溝を設けた固定部と、リング状をなし、同リング状の内周側に半円弧状の凹状溝を設け、同リング状の内径が前記固定部の外周とはめ込まれる径を有した回転部と、前記はめ込みにより前記固定部の凹状溝と前記回転部の凹状溝とで形成される空間部分に設けるボールベアリングとからなり、前記回転部をディスプレイ背面側に設け、前記固定部を壁又はスタンド等のディスプレイ被固定側に設け、前記回転部を前記固定部に対し回動させることが記載されている。
【特許文献１】特開２００３−１５７０１６号公報
【発明の開示】
【発明が解決しようとする課題】
【０００５】
しかしながら、前記従来の技術のものでは以下のような課題があった。すなわち従来のディスプレイ支持装置では、特許文献１の図７に記載のとおり、ディスプレイが所定の角度となるように取付部に開孔部７２ａを設けることにより角度調整を行っているが、このような開孔部を設ける構造では取付角度の範囲が制限されてしまい微調整ができない。
【０００６】
また、前記従来の技術においては上述の取付部は昇降機能を持たないため、縦置きの際はディスプレイの下側にスペースが必要となって設置位置が制限されてしまう。
【０００７】
本発明は、このような従来の課題を解決するためになされたもので、設置場所を選ばず、かつディスプレイの取付角度も微調整が可能なディスプレイ支持装置を提供することを目的とする。
【課題を解決するための手段】
【０００８】
（１）本発明のディスプレイ支持装置は、長方形型のディスプレイを回転可能に支持するディスプレイ支持装置であって、前記ディスプレイを固定するディスプレイ固定部と、前記ディスプレイ固定部を支持するフレームと、前記フレームを昇降させる昇降機構と、前記ディスプレイ固定部と回転軸を介して接続され、当該ディスプレイ固定部を前記回転軸を中心に回転させる回転機構と、を具備し、前記回転機構により前記ディスプレイ固定部が回転することを特徴とする。
（２）前記回転機構は、前記回転軸に固定されるハンドルと、前記ハンドルに接続されるリンクと、前記リンクに接続されるナットと、前記ナットがはめ込まれるスクリューネジと、前記スクリューネジと接続され、当該スクリューネジを回転させるための動力を付与するモータと、を有し、前記ナットは前記スクリューネジの回転により昇降し、当該ナットの昇降動作に伴って前記ハンドルは前記リンクを介して回転し、前記ハンドルの回転動作により前記ディスプレイ固定部が回転することを特徴とすることが好ましい。
（３）或いは、前記回転機構がギアモータであることを特徴とすることが好ましい。
（４）前記（１）〜（３）において、前記昇降機構と前記回転機構とを制御する制御部をさらに有し、前記制御部が、前記ディスプレイ固定部の回転に連動して前記フレームを昇降させることを特徴とすることが好ましい。
【発明の効果】
【０００９】
本発明によれば、長方形のディスプレイを縦置きする際には昇降手段がディスプレイを昇降させるので、ディスプレイの下側に予め余分なスペースを設けておく必要がなく、様々な場所に設置することができる。さらにハンドルとリンクを含む回転機構により、様々な角度でディスプレイの回転を停止することができ、ディスプレイの取付角度の微調整を行うことが可能となる。
【図面の簡単な説明】
【００１０】
【図１】回転機構としてリンク機構を採用した場合の図であり、（ａ）はディスプレイを横置きで搭載した状態におけるディスプレイ支持装置の背面図、（ｂ）はディスプレイ支持装置の側面図である。
【図２】回転機構としてギアモータを採用した場合の図であり、（ａ）はディスプレイを横置きで搭載した状態におけるディスプレイ支持装置の背面図、（ｂ）はディスプレイ支持装置の側面図である。
【図３】ディスプレイ支持装置の回転機構におけるハンドルとリンクの動作関係を示す図である。
【図４】ディスプレイ支持装置Ａにおける回転軸の周辺を示す拡大側面図である。
【図５】ディスプレイ支持装置における横置きから縦置きへと変更する際の状態遷移を示す図である。
【発明を実施するための形態】
【００１１】
以下に、図面を参照して本発明の好適な実施形態を説明する。
図１に示すように、本発明のディスプレイ支持装置Ａは、長方形型のディスプレイ１を回転可能に支持するものであって、ディスプレイ１を固定するディスプレイ固定部２と、ディスプレイ１とは反対側に配置されてディスプレイ固定部２を支持する矩形側のフレーム４と、フレーム４の下端で接続されるとともに台座５に固定配置されてフレーム４を昇降させる昇降機構６と、フレーム４に固定されてディスプレイ固定部２と回転軸３１を介して接続されて回転軸３１を中心にディスプレイ固定部２を回転させる回転機構３と、昇降機構６と回転機構３とを制御する制御部（図示せず）と、を有して構成されている。そして回転機構３は、回転軸３１のうちディスプレイ固定部２と反対側に一方の端部が固定されるハンドル３２と、ハンドル３２の他方の端部に接続されるリンク３３と、リンク３３のうちハンドル３２と反対側に接続されるナット３４と、ナット３４がはめ込まれるスクリューネジ３５と、スクリューネジ３５の端部と接続され、当該スクリューネジ３５を回転させるための動力を付与するモータ３６と、モータ３６をフレーム４に固定するモータ固定部３７と、を有する。
このためモータ３６により動力がスクリューネジ３５に付与された場合、ナット３４はスクリューネジ３５の回転に伴って昇降し、このナット３４の昇降動作によりハンドル３２はリンク３３を介して回転し、ハンドル３２の回転動作によりディスプレイ固定部２を介してディスプレイ１が回転する。
【００１２】
なお、図１では、回転機構３がいわゆるリンク機構である例を示したが、図２に示すように、回転機構３はギアモータであっても良い。この場合、回転軸３１部分にギアモータＭを取り付け、直接ディスプレイ固定部２を回転することによりディスプレイ１を回転する。
【００１３】
本実施の形態で用いられるディスプレイ１としては、種々の長方形型ディスプレイが適用可能であり、例えばＰＤＰ、ＬＣＤ、有機ＥＬディスプレイなどのいわゆるフラットパネルディスプレイが好適である。またディスプレイの大きさや設置場所も特に制限はされず、会議室などの室内だけでなく屋外でもよく、ディスプレイの大きさも目的に応じて選択してもよい。
【００１４】
ディスプレイ固定部２はディスプレイ１を固定して支持し、後述するハンドル３２の回転動作に伴って回転軸３１を中心に回転することでディスプレイ１を所定の角度だけ回転させる。回転角度は、例えば時計回り・反時計回りに少なくとも各９０℃回転することが好ましいが、これ以上の角度の回転が可能であっても良い。
ディスプレイ固定部２の大きさは、ディスプレイ１の大きさと同等か、もしくはディスプレイの概ね１／２乃至１／３程度とすればよいが、ディスプレイ１を安定して固定できればとくに大きさに制限はない。ディスプレイ１の固定方法としては公知の方法が適用できる。
【００１５】
前記ディスプレイ固定部２は、フレーム４によって支持される。このフレーム４は本発明のディスプレイ支持装置Ａの骨格をなす部材であり、後述する回転機構３の一部や昇降機構６の一部などが固定される。
フレーム４は、支柱４１と、支柱４１を補強する横ハリ４２と、横ハリ４２と接続される支持部材４３を有する。
フレーム４を構成する材料は金属が好適であるが、強化プラスチックなど他の公知の材料を用いてもよい。
【００１６】
前記支持部材４３は、横ハリ４２を介して支柱４１に固定されるとともに、前記ディスプレイ固定部２を回転可能に支持する。すなわち、支持部材４３は、ディスプレイ固定部２及びディスプレイ１の重量を支持するために設置されるものであるので、支持部材４３とディスプレイ固定部２は固着されているわけではない。
支持部材４３とディスプレイ固定部２の間にはボールベアリング等のスチールボール９を配置し、摩擦抵抗を下げる。ディスプレイ固定部２及びディスプレイ固定部２に取り付けられたディスプレイ１が回転する際には、支持部材４３は固定したままで、スチールボール９を介してディスプレイ固定部２の滑らかな回転を実現することができる。
支持部材４３は、図では円盤状で、軽量化のための４つの円孔４５が設けられているが、特に大きさや形状には制限があるものではない。
なお、図では、支持部材４３は横ハリ４２を介して支柱４１に固定されているが、横ハリ４２を省略し、支柱４１に直接支持部材４３を固定しても良い。
【００１７】
次に、前記フレーム４を昇降させる昇降機構６について説明する。
図１に示すように、昇降機構６は、フレーム４を昇降させる機能を有し、ギアモータ６１、スクリューネジ６３、および連結部６２等とから構成される。フレーム４を昇降させる際には、ギアモータ６１を駆動させてスクリューネジ６３を回転させ、このスクリューネジ６３の回転により連結部６２が昇降することに伴ってフレーム４が昇降する。これによりフレーム４を構成する支持部材４３によって支持されるディスプレイ固定部２も昇降することとなる。
なお、ギアモータ６１、スクリューネジ６３、連結部６２等を覆うモータカバー６４を設けて、フレーム４を昇降させたときにこれらの部品が正面から見えることを防止することが可能である。
【００１８】
本実施形態では、昇降機構６によりフレーム４を昇降させるものとしたが、これに限定されず、ディスプレイ固定部２を直接昇降させる機構としてもよい。また、上記昇降機構６は、ディスプレイ固定部２やフレーム４を昇降させる機能を備えていれば、スクリューネジ６３を用いた昇降機構に限定されず、油圧制御式の昇降機構など、他の公知機構を用いてもよい。
【００１９】
続いて、図１、３、４を用いて、上記ディスプレイ固定部２を回転させる回転機構３についてリンク機構を採用した場合の動作を説明する。
回転機構３は、ディスプレイ固定部２を、回転軸３１を中心に回転させる機能を有し、回転軸３１、回転軸３１の一方の端部に接続されるハンドル３２、ハンドル３２の他方の端部に接続されるリンク３３、リンク３３に接続されるナット３４、ナット３４と組み合わされるスクリューネジ３５、およびスクリューネジ３５に動力を付与するモータ３６などから構成される。なお回転機構３はモータ３６の動力をハンドル３２の回転に変換させる機能を備えていれば、スクリューネジ３５を用いた機構に限定されず、油圧制御式の回転機構など他の公知機構を用いてもよい。
【００２０】
前記回転軸３１は金属材料から形成されており、支持部材４３に設けられた挿入孔４６に挿入され、ディスプレイ固定部２に固定される。すなわち、回転軸３１とディスプレイ固定部２は接続固定されているので、回転軸３１の回転に伴ってディスプレイ固定部２も回転する。一方、支持部材４３の挿入孔４６は、回転軸３１の直径に対して所定のクリアランスを有し、且つ支持部材４３は横ハリ４２に固定され、スチールボール９を介してディスプレイ固定部２を支持しているので、回転軸３１が回転しても支持部材４３が回転することはない。
なお、回転軸３１の径や材料にとくに限定はなく、取り付けるディスプレイの大きさや重量に応じて回転軸３１の径や材料を適宜設定してもよい。
【００２１】
前記回転軸３１の、ディスプレイ固定部２が固定されていない方の端部には、ハンドル３２が固定されている。さらに、ハンドル３２の、回転軸３１が接続していない方の一端には、棒状のリンク３３の一端が接続され、該リンク３３の他端は、スクリューネジ３５に沿って昇降可能なナット３４に固定されている。
すなわち、前記リンク３３は、ナット３４の昇降動作を、リンク３３及びハンドル３２を介して回転軸３１の回転に変換させる。
【００２２】
リンク３３の長さはナット３４の位置やハンドル３２の長さに応じて適宜変更が可能である。ナット３４はスクリューネジ３５に組み合わされ、当該スクリューネジ３５の回転に伴って上下に昇降する。
【００２３】
前記スクリューネジ３５はモータ３６と接続されており、モータ３６の駆動を受けて回転する。スクリューネジ３５は、モータ３６とともにフレーム４に固定して配置される。
なお、モータ３６はモータ固定部３７を介してフレーム４に固定される。
【００２４】
本実施形態のディスプレイ支持装置Ａは台座５を備えていてもよく、必要に応じて台座５を移動可能に支持するキャスター７や、ディスプレイ支持装置Ａを安定して固定配置するためのアウトリガー８をさらに備えていてもよい。
【００２５】
前記回転機構３と前記昇降機構６は、制御部により制御されることが好ましい。
すなわち、前記ディスプレイ固定部２の回転に連動して前記フレーム４を昇降させることが好ましい。
このような制御部は、回転機構３や昇降機構６を動作させるためのプログラムが格納されたＣＰＵ（中央演算装置）を備える制御ＢＯＸにより構成されている。制御ＢＯＸのＣＰＵは回転機構３や昇降機能６に備えられたモータ３６，６１の動作を制御するが、回転機構３と昇降機構６を同一の制御ＢＯＸにより制御してもよいし、複数の制御ＢＯＸを設けて別々に制御してもよい。また、制御部は、回転機構３によるディスプレイ１の回転動作と、昇降機構６によるフレーム４の昇降動作を連動させてもよい。
【００２６】
具体的には、ディスプレイ１を縦置きに切り換える場合には、昇降機構６によってフレーム４が所定の位置まで上昇したことを契機として、フレーム４等を支持する台座５などにディスプレイ１が接触しないように回転機構３がディスプレイ１を徐々に回転させるように制御を行う。または、ディスプレイ１を横置きに切り換える場合には、回転機構３によってディスプレイ１が予め決定した所定の角度だけ回転したことを契機として、台座５などにディスプレイ１が接触しないように昇降機構６がフレーム４が徐々に下降するように制御を行う。
【実施例】
【００２７】
以下、図面を用いて、本発明のディスプレイ支持装置Ａを用いてディスプレイ１を回転機構をリンク機構として回転する場合の動作を順を追って説明する。
【００２８】
図１（ａ）に示すように、本発明のディスプレイ支持装置Ａは、ディスプレイ固定部２、回転機構３、フレーム４、台座５、昇降機構６を主として構成され、長方形のディスプレイ１が横置きとなるようにディスプレイ固定部２に固定される。ここで本実施形態において、ディスプレイ１の長辺が水平方向（図中のＹ方向）と平行となる配置態様を「横置き」とし、短辺が水平方向と平行となる配置態様を「縦置き」と定義する。
ディスプレイ１は、図示しない制御装置から所定の映像信号や音声信号を受信して、映像を表示するものである。
【００２９】
図１（ｂ）に示すように、ディスプレイ固定部２は、回転機構３を構成する回転軸３１の一方の端部に固定されており、この回転軸３１の回転に伴ってディスプレイ固定部２が回転することによって、該ディスプレイ固定部２に固定されたディスプレイ１を縦置き又は横置きに変更する。
【００３０】
図３及び図４により、本実施形態における回転機構３及びリンク３３の動作を説明すると、まず、図３に示すように、回転機構３のモータ３６はスクリューネジ３５を回転させる。スクリューネジ３５に組み込まれたナット３４は、当初、スクリューネジ３５の下方（図３の点線部）に位置しているが、スクリューネジ３５の回転に応じて実線部の位置まで上昇する。
ナット３４には、リンク３３の一端が接続されており、ナット３４の上昇に伴ってリンク３３の他端が接続されたハンドル３２が反時計回りに回転する。
【００３１】
図４に示すように、ハンドル３２のリンク３３が接続されていない方の端部は、回転機構３の回転軸３１に溶接又はネジ止め等の手段で固定されている。
ハンドル３２が反時計回りに回転すると共に、ハンドル３２と回転軸３１を介して固定接続されたディスプレイ固定部２も同時に反時計回りに回転する。
この際、ディスプレイ固定部２とハンドル３２の間に配置された支持部材４３は、フレーム４の横ハリ４２に固定されている。支持部材４３の中心部は、回転軸３１の直径に対して所定のクリアランスを有した挿入孔４６が形成されているため、回転軸３１の回転に追従して支持部材４３が回転することはない。
【００３２】
支持部材４３のうちディスプレイ固定部２と対向する側には、円形溝４４が形成されている。また、ディスプレイ固定部２の支持部材４３と対向する側にも、上記円形溝４４と対応する箇所に円形溝２１が形成されている。円形溝４４と円形溝２１により構成される空間にはスチールボール９が挿入される。すなわち、スチールボール９は、支持部材４３とディスプレイ固定部２のそれぞれに設けられる円形溝４４、２１に挟まれる状態となっており、それ故、ディスプレイ固定部２は、スチールボール９を介して支持部材４３に回転可能に支持されている。
ハンドル３２の回転によりディスプレイ固定部２が回転する際には、スチールボール９が円形溝内を摺動し、これにより摩擦抵抗を軽減してディスプレイ固定部２の滑らかな回転動作が実現する。
ディスプレイ固定部２には、ディスプレイ１が公知の方法で固定しているので、ディスプレイ固定部２の回転と同時にディスプレイ１の回転が可能となる。
【００３３】
次に、本発明の本発明のディスプレイ支持装置Ａの昇降機構６について説明する。
図１（ａ）に示すように、本発明のディスプレイ支持装置Ａにおいて、台座５上には、昇降機構６を構成するギアモータ６１、およびスクリューネジ６３が設置される。
ギアモータ６１から発生する動力は、連結部６２を介してスクリューネジ６３の回転に変換される。スクリューネジ６３には、支柱４１の内部の雌ネジが螺合しており、スクリューネジ６３の回転と同時に支柱４１が昇降する。
このようにして、昇降機構６によりフレーム４の全体が昇降可能となる。
【００３４】
次に、図５を用いて、本発明のディスプレイ支持装置Ａにおける、ディスプレイ１が横置きから縦置きへと変更する際の遷移状態を説明する。
なお、本実施形態では、ディスプレイ固定部２の回転に連動してフレーム４を昇降させる制御を行っている。
【００３５】
まず、図５（ａ）に示すように、ディスプレイ１が横置きされた状態において、ディスプレイ１を縦置きとすべく利用者が制御部に設けられるスイッチ等を押圧する。
すると、昇降機構６を制御する制御部はギアモータ６１に駆動信号を送信し、これによりフレーム４の昇降動作が開始される。
【００３６】
続いて、図５（ｂ）に示すとおりフレーム４が所定の高さまで上昇したときに、制御部は、回転機構３を制御するためモータ３６に駆動信号を送信する。これによりディスプレイ固定部２が回転し、ディスプレイ１が横置きから縦置きへと切り換えが開始される。
そして図５（ｂ）の状態から図５（ｃ）に至るまでの少なくとも一期間においては、フレーム４の上昇とディスプレイ固定部２の回転が同時に進行する。
その後は、図５（ｃ）に示すとおり、ディスプレイ１が台座５に接触しない充分な高さになった時点でフレーム４の上昇が停止するとともに、ディスプレイ１が縦置きとなった状態で回転機構３によるディスプレイ固定部２の回転は停止する。
なおディスプレイ１を縦置きから横置きに切り換える場合には、上述とは逆の動作、すなわち図５（ｃ）から図５（ａ）に向かう動作を行えばよい。
【００３７】
＜変形例＞
上記した例においては、モータ３６の駆動は支柱４１が所定の高さまで上昇した後に開始される例を示したが、これに限定されず支柱４１を上昇させながらディスプレイ１を回転させてもよい。
また、ナット３４の上昇に伴ってハンドル３２は反時計回りに回転したが、時計回りに回転するようにしてもよい。
さらには、ナット３４の上昇に伴ってディスプレイ１が横置きから縦置きに切り換える例を示したが、例えばナット３４の下降に伴ってディスプレイ１を縦置きとするようにしてもよい。
【００３８】
上記した例においては、フレーム４の昇降動作と回転機構３の回転動作を連動させて説明したが、これに限定されずフレーム４の昇降と回転機構３の回転を独立して制御してもよい。
【００３９】
本発明に係るディスプレイ支持装置Ａは、回転機構３によって縦置きと横置きとディスプレイ１を切換可能とするとともに、回転機構３の動作に伴って昇降機構６によりディスプレイ１を適切に昇降させることを要旨とするものであり、このような要旨を逸脱しない範囲で設計される構成は本発明の技術的範囲に属するものである。
【産業上の利用可能性】
【００４０】
本発明は、ディスプレイを横置きと縦置きとを切り換えて使用する場合に好適なディスプレイ支持装置に適用でき、長方形のディスプレイを縦置きする際には昇降手段がディスプレイを昇降させることができるので、ディスプレイの下側に予め余分なスペースを設けておく必要がなく、様々な場所に設置することができる。
さらにハンドルとリンクを含む回転機構により、様々な角度でディスプレイの回転を停止することができ、ディスプレイの取付角度の微調整を行うことが可能となり、産業上の利用可能性が極めて高い。
【符号の説明】
【００４１】
Ａ    ディスプレイ支持装置
Ｍ    ギアモータ
１    ディスプレイ
２    ディスプレイ固定部
２１  円形溝
３    回転機構
３１  回転軸
３２  ハンドル
３３  リンク
３４  ナット
３５  スクリューネジ
３６  モータ
３７  モータ固定部
４    フレーム
４１  支柱
４２  横ハリ
４３  支持部材
４４  円形溝
４５  円孔
４６  挿入孔
５    台座
６    昇降機構
６１  ギアモータ
６２  連結部
６３  スクリューネジ
６４  モータカバー
７    キャスター
８    アウトリガー
９    スチールボール
【図１】
2011017738.tif 000003
【図２】
2011017738.tif 000004
【図３】
2011017738.tif 000005
【図４】
2011017738.tif 000006
【図５】
2011017738.tif 000007